(57)【要約】  【課題】片手でしっかりと保持しながらも容易に開閉ができ、更に操作性がよい携帯機器を提供する。  【解決手段】操作部を備えた第１の筐体１０及びＬＣＤ２２を備えた第２の筐体２０の２つの筐体が折り畳まれた状態において、第２の筐体２０に側圧を加えると、第２の筐体２０が反時計回りに揺動され、第１の筐体１０に対してずれた状態となる。これにより、第１の筐体１０と第２の筐体２０とを片手で保持しながら容易に開けることができる。また、第２の筐体２０がずれる方向を一方向に限定したことで、軽く側圧を加えただけで、第２の筐体２０を利き手で開きやすい方向に簡単にずらすことができる。また、第２の筐体２０がずれた状態で第２の筐体２０を固定することで、第１の筐体１０と第２の筐体２０とを片手で保持しながら開けることが更に容易になる。【選択図】  図３
2008085865.tif 000002
【特許請求の範囲】
【請求項１】
第１の筐体と、第２の筐体と、前記第１の筐体と前記第２の筐体とを折り畳み可能に連結するヒンジとを備えた携帯機器において、
前記第１の筐体と前記第２の筐体とは、折り畳んだ状態において、前記第１の筐体の一部が前記第２の筐体の外縁からはみ出すとともに、前記第２の筐体の一部が前記第１の筐体の外縁からはみ出し、かつ前記はみ出した一部同士が互いに前記第１の筐体と前記第２の筐体との重なっている部分を挟んで反対側に位置することを特徴とする携帯機器。
【請求項２】
前記折り畳んだ状態の前記携帯機器は、通常、前記第１の筐体の上に前記第２の筐体が位置し、かつ前記ヒンジの位置が操作者側から見て奥側になるように把持されるものであり、
前記通常の把持状態において、操作者側から見て前記第１の筐体の一部が左側にはみ出し、前記第２の筐体の一部が右側にはみ出していることを特徴とする請求項１に記載の携帯機器。
【請求項３】
第１の筐体と、第２の筐体と、前記第１の筐体と前記第２の筐体とを折り畳み可能に連結するヒンジとを備え、前記第１の筐体と前記第２の筐体とが開いた状態の外観が略長方形を成す携帯機器において、
前記ヒンジの回動軸は、その軸方向が前記略長方形の長辺と直交する方向に対して傾斜するように配設されていることを特徴とする携帯機器。
【請求項４】
前記折り畳んだ状態の前記携帯機器は、通常、前記第１の筐体の上に前記第２の筐体が位置し、かつ前記ヒンジの位置が操作者側から見て奥側になるように把持されるものであり、
前記通常の把持状態において、前記ヒンジの回動軸は、その軸方向が操作者側から見て右上に傾斜していることを特徴とする請求項３に記載の携帯機器。
【請求項５】
第１の筐体及び第２の筐体の２つの筐体と、前記２つの筐体を折り畳み可能に連結するヒンジとを備えた携帯機器において、
前記２つの筐体が折り畳まれた状態において、前記２つの筐体がはみ出しなく重なった位置と前記２つの筐体のいずれか１つが一方向に所定の角度揺動された位置との間で、前記２つの筐体のいずれか１つをその筐体面に沿って揺動させる揺動機構を備えたことを特徴とする携帯機器。
【請求項６】
第１の筐体及び第２の筐体の２つの筐体と、前記２つの筐体を折り畳み可能に連結するヒンジとを備えた携帯機器において、
弾性部材を用いた揺動機構であって、前記２つの筐体が折り畳まれた状態で、前記２つの筐体がはみ出しなく重なった位置と前記２つの筐体のいずれか１つが所定の角度揺動された位置との間で、前記２つの筐体のいずれか１つをその筐体面に沿って揺動させる揺動機構を備えたことを特徴とする携帯機器。
【請求項７】
前記２つの筐体がはみ出しなく重なった位置と前記２つの筐体のいずれか１つが所定の角度揺動された位置とで、前記２つの筐体のいずれか１つの揺動を停止させる揺動停止機構を備えたことを特徴とする請求項５又は６に記載の携帯機器。
【請求項８】
前記２つの筐体が開いた状態の外観が略長方形を成すように前記２つの筐体のいずれか１つの回動を規制する回動規制機構を備えたことを特徴とする請求項５〜７のいずれか１に記載の携帯機器。
【請求項９】
前記ヒンジの回転軸は、前記２つの筐体が開いた状態の外観が略長方形を成すように、その軸方向が前記略長方形の長辺と直交する方向に対して傾斜するように配設されていることを特徴とする請求項５〜８のいずれか１に記載の携帯機器。
【請求項１０】
第１の筐体と、表示部を有する第２の筐体と、前記第１の筐体と前記第２の筐体とを折り畳み可能に連結するヒンジとを備えた携帯機器において、
前記第２の筐体をその筐体面に沿って揺動させる揺動機構と、
前記揺動機構によって揺動された前記第２の筐体を、前記表示部が縦長に表示される第１の停止位置と、前記表示部が横長に表示される第２の停止位置と、前記第１の停止位置と前記第２の停止位置との間に配置されている第３の停止位置とで停止させる揺動停止機構と、
を備え、
前記第３の停止位置において前記第１の筐体と前記第２の筐体とが開閉可能であることを特徴とする携帯機器。
【請求項１１】
前記揺動機構は前記ヒンジの回動軸に隣接して配設されていることを特徴とする請求項５乃至１０のいずれかに記載の携帯機器。
【請求項１２】
前記第１の筐体と前記第２の筐体とが開閉された及び／又は前記第１の筐体と前記第２の筐体のいずれか１つが所定の角度揺動されたことを検出する検出手段と、
前記検出手段の検出結果に基づいて前記携帯機器の動作を制御する制御手段と、
を備えたことを特徴とする請求項５乃至１１のいずれかに記載の携帯機器。
【発明の詳細な説明】
【技術分野】
【０００１】
本発明は携帯機器に係り、特に折り畳みが可能な携帯機器に関する。
【背景技術】
【０００２】
携帯機器としては、表示部を有する筐体と操作部を有する筐体との２つの筐体がヒンジを介して開閉可能に連結された折り畳み型のものが知られている。このような折り畳み型の携帯機器は、表示部と操作部とがお互いに向かい合うように折り畳んで閉じた状態とすることによって、持ち運びに便利なコンパクトな状態にすることができるようになっている。
【０００３】
この折り畳み型の携帯機器では、ヒンジを介して連結された２つの筐体の外縁がほぼ重なっているため、片手で開くことが困難であった。
【０００４】
これに対応するために、特許文献１には、ヒンジの近傍にスロープを設けることにより片手で容易に開くことができる携帯機器が提案されている。
【０００５】
また、特許文献２には、スライド機構によって表示部を有する筐体を回転させる携帯機器が提案されている。また、特許文献３には、表示部を別部品として筐体に回転自在に取り付けることによって表示部を回転させる携帯機器が提案されている。また、特許文献４には、表示部を有する筐体の外縁を、操作部を有する筐体の外縁より大きくした携帯機器が提案されている。
【特許文献１】特開２００５―１５９３９０号公報
【特許文献２】特開２００４―２１５１８０号公報
【特許文献３】特開２００３―３１９０４３号公報
【特許文献４】特開２００４―２０７９６１号公報
【発明の開示】
【発明が解決しようとする課題】
【０００６】
しかしながら、上記特許文献に記載された携帯機器では以下のような欠点があった。すなわち、特許文献１に記載された携帯機器では、２つの筐体を開く方向に指を掛けることは考慮されているが、操作部を有する筐体を保持する工夫がないために開いた勢いで落下しやすいという問題がある。また、非対称の凹部があるため、デザイン的にバランスが崩れるという問題がある。
【０００７】
また、特許文献２、３に記載された携帯機器では、表示部を有する筐体又は表示部を回転させることで表示部を縦長・横長に配置できるというものであり、２つの筐体を容易に開くことができるようにするという思想がない。そのため、表示部を有する筐体又は表示部を回転させた場合において、回転させた筐体又は表示部を、２つの筐体を開くための指かけ等に用いることができないという欠点がある。
【０００８】
また、特許文献４に記載された携帯機器では、２つの筐体を閉じた状態においても表示部を見ることができるように、表示部を有する筐体が操作部を有する筐体より大きくなっているものであり、２つの筐体を容易に開くことができるようにするという思想がない。そのため、表示部を有する筐体が操作部を有する筐体からはみ出した部分を、２つの筐体を開くための指かけ等に用いることができないという欠点がある。
【０００９】
本発明はこのような事情に鑑みてなされたもので、片手で容易に開くことができるだけでなく、一方をしっかり保持して他方を開くという思想のもとに、片手でしっかりと保持しながらも容易に開閉ができ、更に操作性がよい携帯機器を提供することを目的とする。
【課題を解決するための手段】
【００１０】
請求項１に記載の携帯機器は、前記目的を達成するために、第１の筐体と、第２の筐体と、前記第１の筐体と前記第２の筐体とを折り畳み可能に連結するヒンジとを備えた携帯機器において、前記第１の筐体と前記第２の筐体とは、折り畳んだ状態において、前記第１の筐体の一部が前記第２の筐体の外縁からはみ出すとともに、前記第２の筐体の一部が前記第１の筐体の外縁からはみ出し、かつ前記はみ出した一部同士が互いに前記第１の筐体と前記第２の筐体との重なっている部分を挟んで反対側に位置することを特徴とする。
【００１１】
請求項１に記載の携帯機器によれば、第１の筐体と第２の筐体とを折り畳んだ状態において、第１の筐体の一部が第２の筐体の外縁からはみ出すとともに第２の筐体の一部が第１の筐体の外縁からはみ出し、かつはみ出した一部同士が互いに第１の筐体と第２の筐体との重なっている部分を挟んで反対側に位置するように、第１の筐体と第２の筐体とが配設されている。すなわち、第１の筐体と第２の筐体が重なっている部分を手のひらに乗せる場合において、第２の筐体からはみ出した第１の筐体の一部分と第１の筐体からはみ出した第２の筐体の一部分とのいずれか一方を中指、薬指、小指の指で押さえ、他方を親指で押さえることで、携帯機器を片手で保持する。いずれか一方のはみ出し部は携帯機器を指で押さえるための指かけ部、他方は携帯機器を指で開くための指かけ部となり、ここを親指で押し上げることで携帯機器を開く。
【００１２】
これにより、第１の筐体と第２の筐体とを片手で保持しながら容易に開けることができる。
【００１３】
請求項２に記載の携帯機器は、請求項１に記載の携帯機器において、前記折り畳んだ状態の前記携帯機器は、通常、前記第１の筐体の上に前記第２の筐体が位置し、かつ前記ヒンジの位置が操作者側から見て奥側になるように把持されるものであり、前記通常の把持状態において、操作者側から見て前記第１の筐体の一部が左側にはみ出し、前記第２の筐体の一部が右側にはみ出していることを特徴とする。
【００１４】
請求項２に記載の携帯機器によれば、第１の筐体の上に第２の筐体が位置し、かつヒンジの位置が操作者側から見て奥側になるように把持した場合に、第１の筐体の一部が操作者側から見て左側にはみ出し、第２の筐体の一部が操作者側から見て右側にはみ出している。すなわち、携帯機器を右手で持った場合において、第１の筐体のはみ出した部分を中指、薬指、小指で押さえることで携帯機器を保持し、第２の筐体のはみ出した部分を親指で押し上げることで携帯機器を開く。
【００１５】
これにより、第１の筐体と第２の筐体とを右手で保持しながら容易に開けることができる。
【００１６】
請求項３に記載の携帯機器は、第１の筐体と、第２の筐体と、前記第１の筐体と前記第２の筐体とを折り畳み可能に連結するヒンジとを備え、前記第１の筐体と前記第２の筐体とが開いた状態の外観が略長方形を成す携帯機器において、前記ヒンジの回動軸は、その軸方向が前記略長方形の長辺と直交する方向に対して傾斜するように配設されていることを特徴とする。
【００１７】
請求項３に記載の携帯機器によれば、第１の筐体と第２の筐体とが開いた状態の外観が略長方形であり、第１の筐体と第２の筐体を連結するヒンジの回動軸は、その軸方向が略長方形の長辺と直交する方向に対して傾斜するように配設されている。すなわち、ヒンジの回動軸が第１の筐体及び第２の筐体が開いた時の長辺に垂直な方向に対して傾斜しているために、第１の筐体と第２の筐体とが開いた状態では略長方形の場合において、第１の筐体と第２の筐体とが折り畳まれた状態では、第１の筐体の一部が第２の筐体の外縁からはみ出すとともに第２の筐体の一部が第１の筐体の外縁からはみ出し、かつはみ出した一部同士が互いに第１の筐体と第２の筐体との重なっている部分を挟んで反対側に位置する。
【００１８】
これにより、第１の筐体と第２の筐体とを片手で保持しながら容易に開けることができると共に、第１の筐体と第２の筐体とが開いた状態では通常の携帯機器に見せることができる。
【００１９】
請求項４に記載の携帯機器は、請求項３に記載の携帯機器において、前記折り畳んだ状態の前記携帯機器は、通常、前記第１の筐体の上に前記第２の筐体が位置し、かつ前記ヒンジの位置が操作者側から見て奥側になるように把持されるものであり、前記通常の把持状態において、前記ヒンジの回動軸は、その軸方向が操作者側から見て右上に傾斜していることを特徴とする。
【００２０】
請求項４に記載の携帯機器によれば、第１の筐体の上に第２の筐体が位置し、かつヒンジの位置が操作者側から見て奥側になるように把持した場合に、第１の筐体と第２の筐体とが開いた状態の外観が略長方形であり、第１の筐体と第２の筐体を連結するヒンジの回動軸は、その軸方向が略長方形の長辺と直交する方向に対して右上に傾斜するように配設されている。すなわち、ヒンジの回動軸が第１の筐体及び第２の筐体が開いた時の長辺に垂直な方向に対して右上に傾斜しているために、第１の筐体と第２の筐体とが開いた状態では略長方形の場合において、第１の筐体と第２の筐体とが折り畳まれた状態では、第１の筐体の上に第２の筐体が位置し、かつヒンジの位置が操作者側から見て奥側になるように把持した場合に、第１の筐体の一部が操作者側から見て左側にはみ出し、第２の筐体の一部が操作者側から見て右側にはみ出している。
【００２１】
これにより、第１の筐体と第２の筐体とを右手で保持しながら容易に開けることができると共に、第１の筐体と第２の筐体とが開いた状態では通常の携帯機器に見せることができる。
【００２２】
請求項５に記載の携帯機器は、第１の筐体及び第２の筐体の２つの筐体と、前記２つの筐体を折り畳み可能に連結するヒンジとを備えた携帯機器において、前記２つの筐体が折り畳まれた状態において、前記２つの筐体がはみ出しなく重なった位置と前記２つの筐体のいずれか１つが一方向に所定の角度揺動された位置との間で、前記２つの筐体のいずれか１つをその筐体面に沿って揺動させる揺動機構を備えたことを特徴とする。
【００２３】
請求項５に記載の携帯機器によれば、２つの筐体が折り畳まれた状態において、２つの筐体のいずれか１つが、２つの筐体がはみ出しなく重なった位置と２つの筐体のいずれか１つが一方向に所定の角度揺動された位置との間で、その筐体面に沿って揺動される。すなわち、第１の筐体の上に第２の筐体が位置し、かつヒンジの位置が操作者側から見て奥側になるように把持した場合に携帯機器に側圧を加えると、第２の筐体が第１の筐体に対してずれた状態となる。
【００２４】
これにより、第１の筐体と第２の筐体とを片手で保持しながら容易に開けることができると共に、第１の筐体と第２の筐体とが閉じた状態では通常の携帯機器に見せることができる。また、第２の筐体がずれる方向を一方向に限定したことで、軽く側圧を加えただけで、第２の筐体を利き手で開きやすい方向に簡単にずらすことができる。
【００２５】
請求項６に記載の携帯機器は、第１の筐体及び第２の筐体の２つの筐体と、前記２つの筐体を折り畳み可能に連結するヒンジとを備えた携帯機器において、弾性部材を用いた揺動機構であって、前記２つの筐体が折り畳まれた状態で、前記２つの筐体がはみ出しなく重なった位置と前記２つの筐体のいずれか１つが所定の角度揺動された位置との間で、前記２つの筐体のいずれか１つをその筐体面に沿って揺動させる揺動機構を備えたことを特徴とする。
【００２６】
請求項６に記載の携帯機器によれば、２つの筐体が折り畳まれた状態において、２つの筐体のいずれか１つが、２つの筐体がはみ出しなく重なった位置と２つの筐体のいずれか１つが一方向に所定の角度揺動された位置との間で、弾性部材によってその筐体面に沿って揺動される。
【００２７】
これにより、簡単な構成で、第１の筐体と第２の筐体とを片手で保持しながら容易に開けることができると共に、第１の筐体と第２の筐体とが閉じた状態では通常の携帯機器に見せることができる。
【００２８】
請求項７に記載の携帯機器は、請求項５又は６に記載の携帯機器において、前記２つの筐体がはみ出しなく重なった位置と前記２つの筐体のいずれか１つが所定の角度揺動された位置とで、前記２つの筐体のいずれか１つの揺動を停止させる揺動停止機構を備えたことを特徴とする。
【００２９】
請求項７に記載の携帯機器によれば、２つの筐体がはみ出しなく重なった位置と２つの筐体のいずれか１つが所定の角度揺動された位置とで、２つの筐体のいずれか１つの揺動を停止させる。すなわち、第１の筐体の上に第２の筐体が位置し、かつヒンジの位置が操作者側から見て奥側になるように把持した状態において携帯機器に側圧を加えると、第２の筐体が第１の筐体に対してずれた状態となり、その状態で第２の筐体を固定することができる。
【００３０】
これにより、第１の筐体と第２の筐体とを片手で保持しながら容易に開けることができる。
【００３１】
請求項８に記載の携帯機器は、請求項５乃至７のいずれかに記載の携帯機器において、前記２つの筐体が開いた状態の外観が略長方形を成すように前記２つの筐体のいずれか１つの回動を規制する回動規制機構を備えたことを特徴とする。
【００３２】
請求項８に記載の携帯機器によれば、２つの筐体が閉じた状態ではどのような状態であっても、２つの筐体が開いた状態の外観が略長方形を成すように回動を規制する。すなわち、第１の筐体の上に第２の筐体が位置し、かつヒンジの位置が操作者側から見て奥側になるように把持した状態において、第２の筐体が第１の筐体に対してずれた状態で第２の筐体を開くと、第１の筐体と第２の筐体とがまっすぐになる。
【００３３】
これにより、第１の筐体と第２の筐体とを片手で保持しながら容易に開けることができ、かつ、簡単に捜作可能なため使い勝手を良くすることができる。
【００３４】
請求項９に記載の携帯機器は、請求項５〜８のいずれか１に記載の携帯機器において、前記ヒンジの回転軸は、前記２つの筐体が開いた状態の外観が略長方形を成すように、その軸方向が前記略長方形の長辺と直交する方向に対して傾斜するように配設されていることを特徴とする。
【００３５】
請求項９に記載の携帯機器によれば、２つの筐体が折り畳まれた状態において、２つの筐体のいずれか１つが、２つの筐体がはみ出しなく重なった位置と、２つの筐体のいずれか１つが一方向に所定の角度揺動された位置との間で、その筐体面に沿って揺動され、かつ、第１の筐体と第２の筐体とが開いた状態の外観が略長方形になるように、２つの筐体を開閉する回動軸が略長方形の長辺と直交する方向に対して傾斜するように配設されている。すなわち、第１の筐体の上に第２の筐体が位置し、かつヒンジの位置が操作者側から見て奥側になるように把持した状態において携帯機器に側圧を加えると、第２の筐体が第１の筐体に対してずれた状態となる。その状態で第１の筐体と第２の筐体とを開くと、ヒンジの回動軸が第１の筐体及び第２の筐体が開いた時の長辺に垂直な方向に対して傾斜しているために、第１の筐体と第２の筐体とが開いた状態では略長方形となる。
【００３６】
これにより、第１の筐体と第２の筐体とを片手で保持しながら容易に開けることができると共に、第１の筐体と第２の筐体とが閉じた状態及び開いた状態では通常の携帯機器に見せることができる。
【００３７】
請求項１０に記載の携帯機器は、第１の筐体と、表示部を有する第２の筐体と、前記第１の筐体と前記第２の筐体とを折り畳み可能に連結するヒンジとを備えた携帯機器において、前記第２の筐体をその筐体面に沿って揺動させる揺動機構と、前記揺動機構によって揺動された前記第２の筐体を、前記表示部が縦長に表示される第１の停止位置と、前記表示部が横長に表示される第２の停止位置と、前記第１の停止位置と前記第２の停止位置との間に配置されている第３の停止位置とで停止させる揺動停止機構と、を備え、前記第３の停止位置において前記第１の筐体と前記第２の筐体とが開閉可能であることを特徴とする。
【００３８】
請求項１０に記載の携帯機器によれば、表示部を有する第２の筐体を、表示部が縦長に表示される第１の停止位置と、表示部が横長に表示される第２の停止位置との間で揺動させる。さらに、第２の筐体を第１の停止位置と、第２の停止位置と、第１の停止位置と第２の停止位置との間に配置されている第３の停止位置との間で停止させ、第２の筐体が第３の停止位置にある場合には第２の筐体を開閉できる。すなわち、表示部の縦横の配置を変更する機構を用いて、２つの筐体を容易に開閉させるための指かけ部を作る。
【００３９】
これにより、新たに機構を設けることなく、第１の筐体と第２の筐体とを片手で保持しながら容易に開けること及び表示部の縦横の配置を変えることができることができる。
【００４０】
請求項１１に記載の携帯機器は、請求項５乃至１０のいずれかに記載の携帯機器において、前記揺動機構は前記ヒンジの回動軸に隣接して配設されていることを特徴とする。
【００４１】
請求項１２に記載の携帯機器は、請求項５乃至１１のいずれかに記載の携帯機器において、前記第１の筐体と前記第２の筐体とが開閉された及び／又は前記第１の筐体と前記第２の筐体のいずれか１つが所定の角度揺動されたことを検出する検出手段と、前記検出手段の検出結果に基づいて前記携帯機器の動作を制御する制御手段と、を備えたことを特徴とする。
【００４２】
請求項１２に記載の携帯機器によれば、筐体の揺動又は開閉が行われたかを検出し、検出結果により携帯機器を制御する。すなわち、操作者が携帯機器を開閉したり、動かしたりしたことを検出し、検出された動きにより、自動で携帯機器を様々のモードで動作させる。
【００４３】
これにより、操作を容易にし、使い勝手を良くすることができる。
【発明の効果】
【００４４】
本発明によれば、片手でしっかりと保持しながらも容易に開閉ができ、更に操作性がよい携帯機器を提供することができる。
【発明を実施するための最良の形態】
【００４５】
以下、添付図面に従って本発明に係るカメラを実施するための最良の形態について詳細に説明する。
【００４６】
＜第１の実施の形態＞
図１は本発明に係る第１の実施の形態の携帯機器１の外観図であり、（ａ）は折り畳んだ状態を示し、（ｂ）は開いた状態を示す。
【００４７】
携帯機器１は、例えば携帯電話などの、折り畳みが可能な携帯機器であり、主に、ダイヤルキー等からなる操作ボタン１２を備える第１の筐体１０と、画像等の情報を表示するディスプレイ２２、外側ディスプレイ２４を有する第２の筐体２０と、第１の筐体１０と第２の筐体２０とを連結するヒンジ（図示せず）とで構成される。
【００４８】
第１の筐体１０は略直方体であり、折り畳まれた状態では内側となる面には、主として、ダイヤルキー等からなる操作ボタン１２、マイク（図示せず）等が配設されている。また、第１の筐体の内部には、図２に示すように、主として、操作ボタン１２によって入力された信号等を処理するためのＣＰＵ等が設けられたメイン基板１１、操作ボタン１２等が配設されるスイッチ基板１５、バッテリー１８等が配設されている。
【００４９】
第２の筐体２０は、第１の筐体１０と同じく略直方体であり、折り畳まれた状態で内側となる面には、所定のアスペクト比を有する矩形上のディスプレイ２２が縦型に配設されている。また、外側の面には外側ディスプレイ２４が配設されており、外側ディスプレイ２４は携帯機器１を閉じたときに自然に持つとまっすぐに見えるように、第２の筐体２０の外形に対して傾斜して配設されている。また、第２の筐体２０の内部には、図２に示すように、主としてカメラ２８、ストロボ（図示せず）等が配設されている。
【００５０】
また、メイン基板１１とディスプレイ２２とは、ヒンジ内部を通るフレキシブルプリント板２７によって電気的に接続されている。
【００５１】
第１の筐体１０と第２の筐体２０とはヒンジを介して折り畳み可能に連結されている。図１（ａ）に示すように、第１の筐体１０と第２の筐体２０が閉じた場合には、第１の筐体１０と第２の筐体２０とがずれた状態になっており、図１（ｂ）に示すように、第１の筐体１０と第２の筐体２０が開いた場合には、第１の筐体１０と第２の筐体２０とがまっすぐに並び、略長方形の外観となる。
【００５２】
携帯機器１を開閉するときの回動軸１４ｂは、図１（ｂ）に示すように、携帯機器１を開いたときの略長方形の外観の長辺から引いた垂線１４ａに対して、θだけ右上がりに傾けた状態で配設されている。
【００５３】
このようにすると、開いたときには図１（ｂ）に示すように略長方形となるが、閉じたときには図１（ａ）に示すように第１の筐体１０と第２の筐体２０が２θずれた状態になり、第１の筐体１０の左側の一部Ａと第２の筐体２０の右側の一部Ｂとが、第１の筐体１０と第２の筐体２０との重なり部Ｃからはみ出す。
【００５４】
図３は上記携帯機器１の内部構成の実施の形態を示すブロック図である。
【００５５】
同図に示すように、携帯機器１は、図１に示した操作部１２、ディスプレイ２２の他に、中央処理装置（ＣＰＵ）４０、メモリ４２、音声処理部４４、送受信回路４６等を有し、通常の電話機能とともに、テレビを受信するための機能、電子メールを送受信するための機能を備えている。
【００５６】
ＣＰＵ４０は、所定のプログラムに従って携帯機器１の全体の動作を制御する制御部として機能するとともに、各種演算を行う演算装置として機能する。即ち、ＣＰＵ４０は、操作部１２から入力される指令信号に基づいて携帯機器１内の各回路を制御し、通信制御、撮影動作制御、画像処理制御、液晶ディスプレイ２２の表示制御、メモリ４２の読み書き制御及びアドレス帳の管理などを行う。
【００５７】
メモリ４２は、バス４９を介してＣＰＵ４０と接続されており、ＣＰＵ４０が実行するプログラム及び制御に必要な各種データなどが格納される不揮発性メモリ（ＲＯＭ）領域と、プログラムの展開領域及びＣＰＵ４０の演算作業用領域として利用される揮発性メモリ（ＲＡＭ）領域とを含むブロックである。ＲＯＭ領域は、アドレス帳や通話履歴のデータ記憶領域として利用されるとともに、音声や画像の保存領域として利用される。また、ＲＡＭ領域は、画像データの一時記憶領域としても利用される。
【００５８】
音声処理部４４は、ＣＰＵ４０と連携して音声信号を処理又は変換する手段である。音声処理部４４は、送受信回路４６から受入したデータの復号化処理及び送受信回路４６を通じて送信するデータの符号化処理を行うとともに、マイク１３からの入力音声信号の符号化処理、スピーカ２３への出力信号生成処理などを行う。
【００５９】
送受信回路４６は、アンテナ４８で受信したデータ及びアンテナ４８から送信するデータの信号形式の変換を行う。
【００６０】
通話モード（電話機能を使用するモード）において、通信相手との通信接続が確立されると、マイク１３ から入力される音声は電気信号に変換され、音声処理部４４に送られる。音声処理部４４はマイク１３から入力された音声信号をデジタル信号に変換（Ａ／Ｄ変換）した後、所要の信号処理を行い、所定形式の音声データに変換する。音声処理部４４で処理された音声データ（送信用のデータ）は、バス４９を介して送受信回路４６に送られ、所定の送信用信号形式に変換された後、アンテナ４８から送信される。
【００６１】
アンテナ４８によって受波された信号は、送受信回路４６において復調され、音声処理部４４に送られる。音声処理部４４は、送受信回路４６から受入した音声信号を所定形式の音声データに変換する。音声処理部４４で生成された音声データ（受信データ）は、アナログ音声信号に変換（Ｄ／Ａ変換）された後、スピーカ２３に送られる。こうして、通話相手の音声がスピーカ２３から可聴出力される。
【００６２】
テレビモードにおいて、アンテナ２０でテレビ放送の電波が受信されると、受信されたテレビ放送の信号は送受信回路４６において音声信号と映像信号とに分けられる。
【００６３】
音声信号は、音声処理部４４に入力され、スピーカ２３から出力される。
【００６４】
一方、映像信号は、送受信回路４６にてデジタル信号に変換された後、表示回路６０を介してディスプレイ２２に出力される。これにより、液晶モニタ３０にテレビ映像が表示される。
【００６５】
なお、送受信回路４６におけるテレビのチャンネル選択は、十字ボタン１２−１の左右のキーで行なわれる。すなわち、右キーを１回押すごとに、チャンネルが１つずつ順送りされ、左キーを１回押すごとに、チャンネルが１つずつ逆送りされる。
【００６６】
また、テレビ 音声のボリュームは、十字ボタン１２−１の上下のキーで行なわれ、上キーを１回押すごとに、ボリュームが段階的にアップする。
【００６７】
また、この携帯機器１は、電子メール機能やインターネットのブラウザ機能などを利用して画像データ、文書データ、プログラムデータなど種々のデータを送受信することが可能である。
【００６８】
更に、携帯機器１は、撮影レンズ５０とＣＣＤイメージセンサ（以下、ＣＣＤという）５２とを有し、ＣＣＤ５２から得られる画像信号を処理するためのアナログ処理部５４、Ａ／Ｄ変換器５５、画像処理部５６、圧縮伸張部５７を備えている。また、携帯機器１は、状況に応じてＣＣＤ５２に受光される被写体に対して閃光を照射させるためのストロボ制御部とストロボ６４とを備えている。
【００６９】
撮影レンズ５０を通過した光はＣＣＤ５２の受光面の上に焦点を結ぶ。ＣＣＤ５２の受光面には多数のフォトセンサ（受光素子）が平面的に配列され、各フォトセンサに対応して赤（Ｒ）、緑（Ｇ）、青（Ｂ）の原色カラーフィルタが所定の配列構造で配置されている。
【００７０】
ＣＣＤ５２の受光面に結像された被写体像は、各フォトセンサによって入射光量に応じた量の信号電荷に変換される。ＣＣＤ５２は、シャッタゲートパルスのタイミングによって各フォトセンサの電荷蓄積時間（シャッタスピード）を制御する電子シャッター機能を有している。
【００７１】
ＣＣＤ５２の各フォトセンサに蓄積された信号電荷は、ＣＰＵ４０の指令に従いタイミングジェネレータ（ＴＧ）５８から与えられるパルス（水平駆動パルスφＨ，垂直駆動パルスφＶ，オーバーフロードレインパルス）に基づいて信号電荷に応じた電圧信号（画像信号）として順次読み出される。ＣＣＤ５２から出力された画像信号は、アナログ処理部５４に送られ、相関二重サンプリング（ＣＤＳ）処理やゲイン調整などの所要の処理が施された後、Ａ／Ｄ変換器５５によってデジタル信号に変換される。デジタル化された画像データは画像処理部５６に送られる。
【００７２】
画像処理部５６は、同時化回路（単板ＣＣＤのカラーフィルタ配列に伴う色信号の空間的なズレを補間して各点の色を計算する処理回路）、輝度・色差信号生成回路、ガンマ補正回路、輪郭補正回路、ホワイトバランス補正回路等を含むデジタル画像信号処理手段であり、ＣＰＵ４０からのコマンドに従ってメモリ４２を活用しながら画像信号を処理する。
【００７３】
画像処理部５６において、ホワイトバランス調整処理、ガンマ変換処理、輝度信号（Ｙ信号）及び色差信号（Ｃr、Ｃb信号）への変換処理（ＹＣ処理）など、所定の処理が施されて生成された画像データはメモリ４２に一時的に記憶される。ここで、撮影中の映像を液晶ディスプレイ２２に表示させる場合には、このメモリ４２の内容を読み出して表示回路６０に送り、表示回路６０において表示用の信号形式に変換した後、液晶ディスプレイ２２に供給する。これにより、ＣＣＤ５２が捉えているリアルタイム映像（スルー画）が液晶ディスプレイ２２に表示され、撮影者は液晶ディスプレイ２２の表示映像によって撮影画角（構図）を確認できる。
【００７４】
ストロボ制御部６２は、ＣＰＵ４０からの指令に従い、ストロボ６４の発光を制御する。
【００７５】
操作部１２の撮影ボタン（例えば、撮影モード時に割り当てられた操作部１２のうちのいずれかのボタン、又は専用の撮影ボタン）が押され、又は後述する着信レリーズモードの設定中に着信があると、ＣＰＵ４０はこれを検知して、撮影動作を実行する。即ち、ＣＣＤ５２の露光制御及び電荷の読み出し制御が行われる。同時に、被写体輝度の状態より、ストロボ６４の発光が必要な場合は、ストロボ発光制御部６２を介して、ストロボ６４を発光させる。
【００７６】
こうして取り込まれた画像データは、画像処理部５６においてＹＣ処理その他の所定の信号処理を経た後、圧縮伸張部５７に送られ、ここで所定の圧縮フォーマット（例えば、ＪＰＥＧ形式)に従って圧縮される。圧縮された画像データは、メモリ４２の画像保存領域に格納される。
【００７７】
画像再生時には、ユーザーのファイル選択操作に応じて、または自動的にメモリ４２から画像ファイルのデータが読み出される。メモリ４２から読み出された圧縮データは、圧縮伸張部５７によって伸張され、表示回路６０を介して表示用の信号に変換された後、液晶ディスプレイ２２に出力される。これにより、当該ファイルの画像内容が液晶ディスプレイ２２上に表示される。
【００７８】
次に、携帯機器１を右手で持った場合の操作方法について説明する。
【００７９】
右手で機器を開くときには、図４（ａ）に示すように、Ａの部分が右手の中指、薬指、小指によって保持され、Ｂの部分は親指によって開き方向への指かかりとなるので、機器を安定して保持しつつ、指をかけて無理なく開くことができる。
【００８０】
また、開いた状態では、図４（ｂ）に示すように、第１の筐体１０と第２の筐体２０とは互いに傾きがない状態となるので、違和感無く使用できる。
【００８１】
本発明の形態によれば、Ａの部分を中指、薬指、小指で押さえることで携帯機器を保持し、Ｂの部分を親指で押し上げることで携帯機器を開くことにより、第１の筐体と第２の筐体とを右手で保持しながら容易に開けることができる。また、Ａの部分を中指、薬指、小指で押さえることで携帯機器をしっかりと保持するため、機器の落下の可能性を減らすことができる。
【００８２】
また、本発明の形態によれば、ヒンジの回動軸を右上に傾斜させることにより、第１の筐体と第２の筐体とが閉じた状態では、指かかりとなるはみ出し部Ａ、Ｂが設けられているが、第１の筐体と第２の筐体とが開いた状態では、はみ出し部はなく、通常の携帯機器に見せることができる。
【００８３】
なお、本実施の形態では、携帯機器を右手で持った場合に使いやすいように、第１の筐体１０の左側の一部Ａと第２の筐体２０の右側の一部Ｂとが、第１の筐体１０と第２の筐体２０との重なり部Ｃからはみ出し、ヒンジの回動軸が携帯機器１を開いたときの略長方形の外観の長辺から引いた垂線に対して右上に傾斜していたが、携帯機器を左手で持った場合に使いやすいように、第１の筐体１０の右側の一部Ａと第２の筐体２０の左側の一部Ｂとが、第１の筐体１０と第２の筐体２０との重なり部Ｃからはみ出し、ヒンジの回動軸が携帯機器１を開いたときの略長方形の外観の長辺から引いた垂線に対して左上に傾斜してもよい。
【００８４】
＜第２の実施の形態＞
上記第１の実施の形態の携帯機器では、折り畳んだ状態で指かかりとなるはみ出し部Ａ、Ｂを設けるようにヒンジが傾斜して配設されていたが、これに限定されるものではなく、ヒンジを傾斜させずに指かかりを設けてもよい。
【００８５】
本実施の形態の携帯機器は、携帯機器を開閉する方向とは違う方向に筐体を揺動させることで、指かかりとなるはみ出し部Ａ、Ｂを設けるものである。図５は、本実施の形態の携帯機器２の外観図であり、（ａ）は携帯機器が閉じた状態を示し、（ｂ）は携帯機器の第２の筐体がずれた状態を示し、（ｃ）は携帯機器が開いた状態を示し、（ｄ）は携帯機器の使用時の状態を示す。なお、図中、第１の実施の形態と同一の部分については、同一の符号を付し、説明を省略する。
【００８６】
携帯機器２は、折り畳みが可能であり、主に、ダイヤルキー等からなる操作ボタン１２を備える第１の筐体１０と、画像等の情報を表示するディスプレイ２２を有する第２の筐体２０と、第１の筐体１０と第２の筐体２０とを連結するヒンジ３０とで構成される。
【００８７】
第１の筐体１０と第２の筐体２０とは、ヒンジ３０によって開閉方向の自由度（ア）と、ずらし方向の自由度（イ）の２つの自由度を持って連結される。
【００８８】
携帯時（携帯機器２を閉じた場合）は図５（ａ）に示すように、小型ではみ出しの無い状態で持ち運ぶことができる。携帯機器２を閉じた状態で携帯機器に側圧を加えると、第２の筐体２０は第１の筐体１０に対して揺動軸１６を中心に反時計方向に回転し、図５（ｂ）に示すように、指かかりとなるはみ出し部Ａ、Ｂが設けられる。この状態で、Ａを指で押さえながらＢを指で持ち上げると、携帯機器２を安定して保持しながら容易に開くことができ、図５（ｃ）のような状態になる。その後、第２の筐体２０の傾きを元に戻せば、図５（ｄ）のような形状となり、使用可能となる。
【００８９】
次に、携帯機器２に側圧を加えた場合において、指かかりとなるはみ出し部Ａ、Ｂが設けられる方法について説明する。
【００９０】
図５（ａ）に示すように、第２の筐体２０は時計方向への揺動が、揺動規制部Ｄ１、Ｄ２が当接することによって規制されている。この状態では、揺動規制部Ｅ１、Ｅ２は離れているために、反時計方向への回転だけが許容されているものである。このようにすると、適当に側圧を与えるだけで、第２の筐体２０は揺動規制部によって揺動が規制されない反時計回りの方向に自然に揺動し、図５（ｂ）の状態に変形する。
【００９１】
ところで、このように第２の筐体２０を反時計方向への揺動するように構成しただけでは、開こうとして力を加えた拍子にもとの角度に戻ってしまうことがあるが、図５（ａ）及び図５（ｂ）の位置で揺動を停止するようにクリック機構を設けることで、このような現象を回避することができる。
【００９２】
次に、このクリック機構について説明する。
【００９３】
ヒンジは、図６に示すように、おもに、ヒンジ本体３１と板バネ３２とで構成されている。
【００９４】
ヒンジ本体３１は、直交する回動軸１４ｂと揺動軸１６とが隣接して配設されており、回動軸１４ｂに嵌入される図示しないシャフトを介して第１の筐体１０と回動可能に結合され、揺動軸１６に嵌入されるシャフト３３によって第２の筐体２０と揺動可能に結合されている。なお、シャフト３３はナット３４によって固定されている。また、ヒンジ本体３１の内部は空洞になっており、第１の筐体１０と、第２の筐体２０の間を繋ぐ、不図示の配線が内部を貫通している。
【００９５】
板バネ３２は、ヒンジ本体３１の内側に配設されている。板バネ３２は、図６（ｂ）に示すように、片方がヒンジ本体３１に固定されている片持ちバネであり、ヒンジに固定されていない側（先端）が、図７に示す第２の筐体２０の溝２５、２６に当接する。
【００９６】
携帯機器を閉じた状態、すなわち、図８の状態では、第２の筐体２０に配設されている溝２５に板バネ３２が係合しており、第２の筐体２０は第１の筐体１０に対して傾きの無い状態で保持されている。
【００９７】
この保持位置から、第２の筐体２を反時計回りに回転させると、図９に示すように、第２の筐体２０の溝２６に板バネ３２が係合して、第２の筐体２０は第１の筐体１０に対して傾いた状態、すなわち、図５（ｂ）の状態で保持される。
【００９８】
次に、携帯機器２を右手で持った場合の操作方法について説明する。
【００９９】
図１０（ａ）に示すように、右手で機器をにぎり、第２の筐体２０の左側面を右手の薬指と小指によって押すと、第２の筐体２０は第１の筐体１０に対して揺動軸１６を中心に反時計方向に回転する。そうすると、図１０（ｂ）に示すように、指かかりとなるはみ出し部Ａ、Ｂが設けられる。なお、揺動規制部Ｄ１、Ｄ２があるために、携帯機器２に側圧を加えた場合には、第２の筐体２０は揺動規制部によって揺動が規制されない反時計回りの方向に自然に揺動し、図１０（ｂ）の状態に変形する。
【０１００】
この状態で、Ａを中指、薬指、小指で保持し、Ｂを親指で持ち上げると、機器を安定して保持しながら、容易に開くことができ、開くと図５（ｃ）のような状態になる。あとは親指を使うなどして第２の筐体２０の傾きを元に戻せば図５（ｄ）のような形状となり、使用可能となる。
【０１０１】
なお、操作方法は上記の方法に限らず、下記の方法をとっても良い。図１１（ａ）に示すように、右手で機器をにぎり、第２の筐体２０の上面を右手の親指によって右方向にスライドさせると、第２の筐体２０は第１の筐体１０に対して揺動軸１６を中心に反時計方向に回転する。そうすると、図１１（ａ）に示すように、互いにずれて、指かかりとなるはみ出し部Ａ、Ｂが設けられる。この場合も、操作時にスライド方向がどちらか覚えていなくても、携帯機器２を左右に揺さぶって可動方向に動かすことで自然に図１１（ｂ）の状態になるので、右手で開きやすい位置に自然に変形することになる。
【０１０２】
本実施の形態によれば、第１の筐体と第２の筐体とを片手で保持しながら容易に開けることができると共に、第１の筐体と第２の筐体とが閉じた状態では通常の携帯機器に見せることができる。また、第２の筐体がずれる方向を一方向に限定したことで、軽く側圧を加えただけで、第２の筐体を利き手で開きやすい方向に簡単にずらすことができる。また、第２の筐体がずれた状態で第２の筐体を固定することで、第１の筐体と第２の筐体とを片手で保持しながら開けることが更に容易になる。
【０１０３】
なお、本実施の形態では、右手で携帯機器の開閉を行う場合を考えて第２の筐体が反時計回りに揺動するようにしたが、左手で携帯機器の開閉を行う場合を考えて第２の筐体が時計回りに揺動するようにしてもよい。
【０１０４】
また、本実施の形態では、携帯機器を閉じたときにヒンジが見える構成となっていたが、図１２に示すように、ヒンジが見えない構成にしてもよい。
【０１０５】
また、本実施の形態では、縦長の表示部を有するものであったが、図１３に示すように横長の表示部を有するものでもよい。図１３は、カードスロット１９にカードを挿入してゲーム、画像、音楽を楽しむ携帯機器３の外観図であり、（ａ）は携帯機器が閉じた状態を示し、（ｂ）は携帯機器の第２の筐体がずれた状態を示す、（ｃ）は携帯機器が開いた状態を示す。ここで、この携帯機器３の第１の筐体１０の側面には、音楽、画像などの入ったカードを挿入するカードスロット１９、ヘッドホン等を接続するヘッドホンジャック１８等が配設されている。また、第１の筐体１０の内面には、被写体を撮影するカメラのシャッターを切るためのシャッターボタン１７等が配設されており、第２の筐体２０の外面には、被写体を撮影するカメラ２８が配設されている。シャッターボタン１７を押すことで、カメラ２８を介して被写体の動画、静止画を撮影、記録できる。
【０１０６】
＜第３の実施の形態＞
上記第２の実施の形態の携帯機器では、ヒンジの内部に配設されている揺動軸を中心に第２の筐体を揺動させ、指かかりとなるはみ出し部Ａ、Ｂが設けたが、これに限定されるものではなく、バネなどの弾性体を用いて第２の筐体を揺動させてもよい。
【０１０７】
本実施の形態の携帯機器は、揺動機構としてヒンジバネを設けることで、第２の筐体を揺動させるものである。図１４は、本実施の形態の携帯機器４の要部内容物を透視した斜視図である。なお、図中、第１の実施の形態及び第２の実施の形態と同一の部分については、同一の符号を付し、説明を省略する。
【０１０８】
ヒンジ３０は、主に、ヒンジ本体３１と、ヒンジバネ３５と、Ｌ字金具３６とで構成されている。
【０１０９】
ヒンジ本体３１は、図示しない軸を介して、第１の筐体１０と回動自在に配設されている。
【０１１０】
ヒンジバネ３５は、バネ用ステンレス等の金属材料製の弾性体で、一端がヒンジ本体３１に固定されており、もう一端がＬ字金具３６に取り付けられている。
【０１１１】
Ｌ字金具３６は、一端がヒンジバネ３５に固定されており、もう一端が第２の筐体２０に固定されている。
【０１１２】
次に、第２の筐体２０の揺動方法について説明する。
【０１１３】
図１５（ａ）は、携帯機器４が閉じた状態である。この状態で、第２の筐体２０に反時計回りの力を加えると、図１５（ｂ）に示すように、ヒンジバネ３５がたわみ方向に変形して、指かかりとなるはみ出し部Ａ、Ｂが設けられる。また、図示していないが、第２の筐体２０に時計回りの力を加えると、図１５（ｂ）と逆方向に指かかりとなるはみ出し部Ａ、Ｂが設けられる。
【０１１４】
本実施の形態によれば、簡単な構成で、第１の筐体と第２の筐体とを片手で保持しながら容易に開けることができると共に、第１の筐体と第２の筐体とが閉じた状態では通常の携帯機器に見せることができる。
【０１１５】
なお、本実施の形態では、クリック機構を設けていないが、第２の実施の形態と同様な構成のクリック機構を、ヒンジバネを避けた位置に設けてもよい。
【０１１６】
また、本実施の形態では、第２の筐体２０を、時計回りと反時計回りとのいずれの方向にも揺動させることができるが、揺動規制部を設けて一方向のみに揺動させてもよい。
【０１１７】
＜第４の実施の形態＞
上記第２の実施の形態の携帯機器では、指かかりとなるはみ出し部を設けた状態で携帯機器を開き、開いた状態においては第２の筐体が第１の筐体に対して傾いていたが、これに限定されるものではなく、開いた状態において第２の筐体を第１の筐体に対してまっすぐになるようにしてもよい。
【０１１８】
本実施の形態の携帯機器は、指かかりとなるはみ出し部を設けた状態から第２の筐体を開き、開いた状態においては第１の筐体と第２の筐体とは互いに傾きがない状態にするものである。図１６は、本実施の形態の携帯機器５の外観図であり、（ａ）は携帯機器が閉じた状態を示し、（ｂ）は携帯機器の第２の筐体がずれた状態を示す、（ｃ）は携帯機器が開いた状態を示す。なお、図中、第２の実施の形態と同一の部分については、同一の符号を付し、説明を省略する。
【０１１９】
ヒンジ３０は内部にクリック機構（図示せず）を備え、第１の筐体１０と第２の筐体２０とを、開閉方向の自由度と、ずらし方向の自由度の２つの自由度を持って連結する。第１の筐体及び第２の筐体には、第２の筐体のずらし方向の揺動及び開閉方向の回動を規制する揺動規制部Ｇ、Ｈ、Ｉ、Ｊが配設されている。
【０１２０】
次に、第２の筐体２０のずらし方向の揺動を規制する方法について説明する。
【０１２１】
図１６（ａ）の状態において、揺動規制部Ｊ、Ｈ間には隙間が設けてあるため、第２の筐体２０が反時計方向に揺動する場合には、揺動規制部Ｊ、Ｈが当接するまで回転可能であるが、揺動規制部Ｇ、Ｉには隙間がほとんど無いので、第２の筐体２０が時計方向には揺動出来ないように規制されている。
【０１２２】
図１７は図１６（ａ）の状態におけるヒンジ部分を拡大した図である。揺動規制部Ｈと揺動規制部Ｊ、Ｍとの間には隙間が設けられている。これは、揺動規制部Ｊ、Ｍが回動軸１４ｂを中心とした半径をＲとする同心円ライン（図１７点線部）のうち、斜線で表した部分を切り取った形状になっているためである。
【０１２３】
次に、指かかりとなるはみ出し部Ａ、Ｂを設けるために第２の筐体を揺動させると、図１８に示すように、揺動規制部Ｈと揺動規制部Ｊとは略当接した位置になる。なお、図１８の状態、すなわち図１６（ｂ）の状態において、揺動規制部Ｊ、Ｈは略当接しているため、第２の筐体がこれ以上揺動しないように規制されている。また、第２の筐体がこの位置に停止するようにクリック機構（図示せず）が設けてあるため、この回動位置を保持することが出来る。
【０１２４】
次に、第２の筐体の開閉方向の回動を規制する方法について説明する。
【０１２５】
図１８の状態から第２の筐体を開いていくと第２の筐体が揺動規制部Ｊから揺動規制部Ｍに接触し、揺動規制部Ｍに沿って回動される。それと同時に、第２の筐体のずらし方向の傾きが揺動規制部Ｍによって徐々に規制されてゆく。さらに第２の筐体を回動させて、第１の筐体１０と第２の筐体２０とが約９０度開いた状態になると、図１９に示すように、揺動規制部Ｌによって第１の筐体と第２の筐体との傾きが略０度の位置、すなわち傾きがないまっすぐな状態に規制される。また、第１の筐体と第２の筐体との傾きがないまっすぐな位置に第２の筐体が停止するようにクリック機構（図示せず）が設けてあるため、揺動規制部Ｌ，Ｋの寸法を微妙に調整しなくてもこの位置をガタが無く保持できる。
【０１２６】
この状態から第２の筐体を更に開くことにより、図１６（ｃ）に示すように、第１の筐体と第２の筐体との傾きがないまっすぐな位置で、第１の筐体と第２の筐体とが開いた状態になる。
【０１２７】
本実施の形態によれば、機器を手に持って、軽く側圧を加えるだけで、本体と蓋がずれ、開きやすくなるが、機器を開くと、今度はまっすぐな状態に戻るので、第１の筐体と第２の筐体とを片手で保持しながら容易に開けることができ、かつ、簡単に捜作可能なため使い勝手を良くすることができる。
【０１２８】
なお、本発明の実施の形態では、第１の筐体と第２の筐体とが約９０度回転したところで傾きがないまっすぐな位置に復帰するようにしたが、復帰位置はこれに限らず、斜面Ｍの位置や傾斜を変えることによって、色々な設計ができる。
【０１２９】
また、本発明の実施の形態では、第１の筐体と第２の筐体とが、開閉方向とずらし方向の２つの自由度を持ったヒンジによって連結されているが、これに限らず、第１の筐体と第２の筐体とが開閉方向の自由度を持ったヒンジによって連結され、ヒンジバネ等の弾性部材によって第１の筐体と第２の筐体とをずらし方向に揺動させてもよい。
【０１３０】
＜第５の実施の形態＞
上記第２の実施の形態の携帯機器では、指かかりとなるはみ出し部を設けた状態で携帯機器を開き、開いた状態においては第２の筐体が第１の筐体に対して傾いていたが、これに限定されるものではなく、開いた状態において第２の筐体を第１の筐体に対してまっすぐになるようにしてもよい。
【０１３１】
本実施の形態の携帯機器は、第１の筐体及び第２の筐体に対して傾いたヒンジを用いて、指かかりとなるはみ出し部を設けた状態から第２の筐体を開き、開いた状態においては第１の筐体と第２の筐体とは互いに傾きがない状態にするものである。図２０は、本実施の形態の携帯機器６の外観図であり、（ａ）は携帯機器が閉じた状態を示し、（ｂ）は携帯機器の第２の筐体がずれた状態を示し、（ｃ）は携帯機器が開いた状態を示す。なお、図中、第２の実施の形態と同一の部分については、同一の符号を付し、説明を省略する。
【０１３２】
携帯機器１は、折り畳みが可能であり、主に、第１の筐体１０と、画像等の情報を表示するディスプレイ２２、２４を有する第２の筐体２０と、第１の筐体１０と第２の筐体２０とを連結するヒンジ３０とで構成される。
【０１３３】
ヒンジ３０は、第１の筐体１０と第２の筐体２０とを開閉方向の自由度と、ずらし方向の自由度の２つの自由度を持って連結する。ヒンジ３０の回動軸１４ｂは、図２０（ａ）、（ｂ）、（ｃ）に示すように、携帯機器６を開いたときの略長方形の外観の長辺から引いた垂線１４ａに対して、θだけ右上がりに傾けた状態で配設されている。ヒンジ３０の内部には、図２０（ａ）及び図２０（ｂ）の状態で第２の筐体２０の揺動を停止させるクリック機構（図示せず）が配設されている。
【０１３４】
第２の筐体２０は、折り畳まれた状態で内側となる面には、所定のアスペクト比を有する矩形上のディスプレイ２２が縦型に配設されており、外側の面には外側ディスプレイ２４が配設されている。
【０１３５】
携帯時（携帯機器６を閉じた場合）は図２０（ａ）に示すように、小型ではみ出しの無い状態で持ち運ぶことができる。携帯機器６を閉じた状態で携帯機器に側圧を加えると、クリック機構により停止していた第２の筐体２０は、回動軸１４ｂに隣接して配設されている揺動軸１６を中心に反時計方向に回転し、図２０（ｂ）に示すように、指かかりとなるはみ出し部Ａ、Ｂが設けられる。クリック機構により図２０（ｂ）の状態で停止しており、この状態でＡを指で押さえながらＢを指で持ち上げると、携帯機器６を安定して保持しながら容易に開くことができ、図２０（ｃ）のような状態になる。開いた状態においては、第１の筐体１０と第２の筐体２０は互いに傾きがない状態となるので、違和感無く使用できる。
【０１３６】
閉じるときは、上記の逆の手順で閉じることもできるが、図２０（ｃ）において、第２の筐体２０を右からすこし押しながら畳むようにすると図２０（ｂ）を経ることなく、ワンタッチで図２０（ａ）の状態にすることもできる。
【０１３７】
本実施の形態によれば、余計な動作は不要で第１の筐体と第２の筐体とを片手で保持しながら容易に開けることができる。また、携帯機器を閉じている場合及び携帯機器を開いている場合に外装（第１の筐体及び第２の筐体）の傾きが無いにもかかわらず、指かかりとなるはみ出し部Ａ、Ｂを設けることができるため、操作性が良い。
【０１３８】
＜第６の実施の形態＞
上記第２の実施の形態の携帯機器では、携帯機器を開いてから操作者が携帯機器を操作していたが、これに限定されるものではない。
【０１３９】
本実施の形態の携帯機器は、第２の筐体を揺動させると同時に携帯機器を所定のモードで動作させるものである。図２１は、本実施の形態の携帯機器７の外観図であり、（ａ）は携帯機器が閉じた状態を示し、（ｂ）は携帯機器の第２の筐体がずれた状態を示す。なお、図中、第２の実施の形態と同一の部分については、同一の符号を付し、説明を省略する。
【０１４０】
第２の筐体の外側の面には、被写体を撮影するためのカメラ２８と、被写体に向けて発光させるストロボ２９とが配設されている。
【０１４１】
ヒンジ３０内部には、図２１（ａ）及び図２１（ｂ）の位置で第２の筐体を停止させるクリック機構（図示せず）が配設されている。クリック機構には、検出スイッチ（図示せず）が設けられており、第２の筐体が図２１（ｂ）の位置で停止すると検出スイッチがＯＮされるようになっている。
【０１４２】
図２１（ａ）の状態において、揺動軸１６を中心に第２の筐体２０を揺動させると、図２１（ｂ）の状態となり、検出スイッチにより第２の筐体が図２１（ｂ）に示す位置に来たことが検出される。
【０１４３】
第２の筐体が図２１（ｂ）に示す位置に来たことが検出されると、ストロボ２９に電源が入り、ストロボチャージを開始する。ストロボチャージを開始してからストロボが発光可能になるまでに時間を要するため、図２１（ｂ）の状態でストロボチャージを開始することにより、操作者が携帯機器７を開いてすぐにストロボ２９を用いて被写体の静止画または動画を撮影することができる。
【０１４４】
本実施の形態によれば、第２の筐体の揺動を検出し、検出された動きにより、自動で携帯機器を様々のモードで動作させるため、操作を容易にし、使い勝手を良くすることができる。
【０１４５】
また、本発明の実施の形態では、第１の筐体と第２の筐体とが、開閉方向とずらし方向の２つの自由度を持ったヒンジによって連結されているが、これに限らず、第１の筐体と第２の筐体とが開閉方向の自由度を持ったヒンジによって連結され、ヒンジバネ等の弾性部材によって第１の筐体と第２の筐体とをずらし方向に揺動させてもよい。
【０１４６】
＜第７の実施の形態＞
上記第２の実施の形態の携帯機器では、指かかりとなるはみ出し部を設けた状態で携帯機器を約１８０度開き、ＬＣＤを縦長の状態で使用したが、これに限定されるものではなく、ＬＣＤを横長にしてもよい。
【０１４７】
本実施の形態の携帯機器は、指かかりとなるはみ出し部を設けた状態から第２の筐体を開き、開いた状態においてＬＣＤを縦長又は横長に設定できるものである。図２２は、本実施の形態の携帯機器８の外観図であり、（ａ）は携帯機器が閉じた状態を示し、（ｂ）は携帯機器の第２の筐体がずれた状態を示し、（ｃ）は携帯機器が開いた状態を示し、（ｄ）はＬＣＤを横長に設定するための第１段階の状態を示し、（ｅ）はＬＣＤを横長に設定した状態を示す。なお、図中、第２の実施の形態と同一の部分については、同一の符号を付し、説明を省略する。
【０１４８】
携帯機器８は、折り畳みが可能であり、主に、第１の筐体１０と、画像等の情報を表示するディスプレイ２２を有する第２の筐体２０と、第１の筐体１０と第２の筐体２０とを連結するヒンジ３０とで構成される。
【０１４９】
ヒンジ３０は、おもに、ヒンジ本体３１、リンク３７で構成される。
【０１５０】
リンク３７は、一端がヒンジ本体３１に回転自在に軸支されており、もう一端はディスプレイ２２に回転自在に軸支されている。
【０１５１】
第２の筐体２０には、第２の筐体２０の回動を規制する規制ピン２１ａ、２１ｂが配設されている。
【０１５２】
第１の筐体１０と第２の筐体２０とはリンク３７によってずらし方向及び開閉方向に回動可能に連結され、図２２（ａ）及び（ｂ）の位置でクリック機構（図示せず）によって不用意に回転しないようロックされている。また、第１の筐体１０と第２の筐体２０の間は図示しないフレキシブルプリント板等の接続手段によって電気的に接続されている
次に、ヒンジ３０の構成について説明する。
【０１５３】
図２３、図２４に示すように、リンク３７は、一端がヒンジ本体３１に回転自在に軸支され、もう一端は、第２の筐体２０の内部に固定されたディスプレイ２２に回転自在に軸支されている。
【０１５４】
リンク３７とヒンジ本体３１とは、第２の筐体２０を回転開閉させるための回動軸１６ｂに隣接して配設されている軸３９ｂを介して回転自在に固定されている。また、リンク３７とディスプレイ２２とは、回転軸３９ａを介して回転自在に固定されている。これにより、ヒンジ本体３１に取り付けられている第１の筐体１０と、ディスプレイ２２に固着されている第２の筐体とが、回転軸３９を中心にリンク３７と平行に回動される。なお、各回転部には、適度な摩擦力が与えられ、ぐらつきが無いように構成されている。
【０１５５】
次に、携帯機器８に側圧を加えた場合において、指かかりとなるはみ出し部Ａ’、Ｂ’が設けられる方法について説明する。
【０１５６】
図２２（ａ）の状態においては、ヒンジ本体３１に一端が取り付けられているクリック機構（図示せず）の板バネ（図示せず）の先端が、第２の筐体２０に設けられている溝２５’に当接しており、第２の筐体２０はこの位置で停止する。
【０１５７】
第２の筐体２０は、規制ピン２１ａによって時計周りにのみ回動可能になっている。そのため、この状態で第２の筐体の側面に圧力を加えると、回動が規制されていないほうに力が逃げることにより、第２の筐体２０は自然に時計周りに回動する。このとき、板バネの先端は溝２５’から離れ、第２の筐体２０に溝２５’に隣接して配設されている溝２６’に引き込まれる。これにより、第２の筐体２０が図２２（ｂ）に示す位置にロックされる。
【０１５８】
以上のように、図２２（ｂ）に示すように、第２の筐体２０のヒンジ３０近くの下側に、指かかりとなるはみ出し部Ａ’、Ｂ’が設けられる。
【０１５９】
次に、ディスプレイ２２を縦長、横長に設定する方法について説明する。
【０１６０】
図２２（ｂ）の状態において、指かかりとなるはみ出し部Ａ’、Ｂ’を用いて第１の筐体１０と第２の筐体２０とを開くと、図２２（ｃ）のようになる。
【０１６１】
この状態から、回転軸３９ａを中心にして、第２の筐体２０を時計回りに回転させた場合には、ディスプレイ２２は縦長の状態に設定される。
【０１６２】
回転軸３０ａを中心にして、リンク３７が規制ピン２１ｂに当たるところまで第２の筐体２０を反時計回りに回転させると、図２２（ｄ）に示すように、ディスプレイ２２が横長に設定される。
【０１６３】
この状態でも使用可能であるが、第１の筐体１０と第２の筐体２０とのオフセットが気になる場合には、第２の筐体２０を回動軸３９ｂを中心に回動させることにより、図２２（ｅ）に示すように、左右対称形状にすることもできる。
【０１６４】
次に、携帯機器８の操作方法について説明する。
【０１６５】
図２５（ａ）に示すように、右手の中指、薬指等で第２の筐体２０のヒンジ３０近くの下側を押すと、図２５（ｂ）に示すように、指かかりとなるはみ出し部Ａ’、Ｂ’が設けられる。
【０１６６】
この状態において親指で第２の筐体２０を押し上げると、第１の筐体１０と第２の筐体２０は簡単に開くことができ、図２２（ｃ）の状態となる。
【０１６７】
とっさの場合はこのままでも使用できるが、電話時や文字情報を表示させる時などディスプレイ２２を縦長の状態で使用したい場合には、右手の親指又は左手を用いて第２の筐体２０を時計周りに回転させて、第１の筐体１０と第２の筐体２０とを傾きのないまっすぐな状態にすることで、ディスプレイ２２を縦長に設定することができる。
【０１６８】
横長の画像を鑑賞する時などディスプレイ２２を横長の状態で使用したい場合には、左手を用いて第２の筐体を反時計まわりに回転させることで、図２５（ｄ）に示すように、ディスプレイ２２を横長に設定することができる。
【０１６９】
本実施の形態によれば、開くまでは片手で無理なく操作が行なえ、開いた後は片手もしくは両手を用いてＬＣＤの角度の調整が可能である。また、リンクを用いることにより、新たに機構を設けることなく、第１の筐体と第２の筐体とを片手で保持しながら容易に開けることと、及びＬＣＤの縦横の配置を変えることができる。
【０１７０】
なお、本発明の実施の形態では、右手で携帯機器を持ち、左手で第２の筐体を回動させることにより、ＬＣＤを横長にし、必要に応じて左右対称形状にしたが、以下に示すように自然に左右対称形状になるようにしてもよい。
【０１７１】
図２６に示すように、リンク３７と、第２の筐体２０の間にバネ３８により１方向に付勢力を与えておく。なお、図２６（ａ）〜図２６（ｃ）においては、ヒンジ本体３１の凹面と第２の筐体２０の外周とが当接することで、バネカに逆らって第２の筐体２０を図の位置に保持している。図２６（ｄ）の状態においては、ヒンジ本体３１の凹面と第２の筐体２０の外周とが当接しないため、第２の筐体２０を保持していた手を離すと、第２の筐体２０にはバネ３８により左側に引っ張られる方向の力が働く。これにより、図２６（ｅ）に示すように、左右対称形状に移動させることも可能である。
【０１７２】
また、本発明の実施の形態において、第２の筐体が開いた場合、ＬＣＤが縦長に設定された場合、ＬＣＤが横長に設定された場合等を検出する検出スイッチを設け、第２の筐体が開いた場合に携帯機器の電源をＯＮする、ＬＣＤが縦長に設定された場合に通話モード、ＬＣＤが横長に設定された場合にはＴＶモード等、検出スイッチによって検出された動きにより、携帯機器を自動で様々なモードで動作させるようにしてもよい。なお、ＬＣＤが縦長に設定された場合には、通話モードに限らずカメラモード、ブラウジングモード等ＬＣＤが縦長に設定された場合に適する様々なモードを適用できる。また、ＬＣＤが横長に設定された場合には、ＴＶモードに限らずゲームモード等ＬＣＤが横長に設定された場合に適する様々なモードを適用できる。
【図面の簡単な説明】
【０１７３】
【図１】本発明が適用された携帯機器の第１の実施の形態の外観図であり、（ａ）は携帯機器が閉じた状態を示し、（ｂ）は携帯機器が開いた状態を示す。
【図２】上記携帯機器の第１の実施の形態の内部構成の一例を示す模式図である。
【図３】上記携帯機器の第１の実施の形態の内部構成の一例を示すブロック図である。
【図４】上記携帯機器の第１の実施の形態の操作方法の説明図であり、（ａ）は携帯機器が閉じた状態を示し、（ｂ）は携帯機器が開いた状態を示す。
【図５】本発明が適用された携帯機器の第２の実施の形態の外観図であり、（ａ）は携帯機器が閉じた状態を示し、（ｂ）は携帯機器の第２の筐体がずれた状態を示し、（ｃ）は携帯機器が開いた状態を示し、（ｄ）は携帯機器の使用時の状態を示す。
【図６】上記携帯機器の第２の実施の形態のヒンジの説明図であり、（ａ）はヒンジの外観図であり、（ｂ）はヒンジの透視図である。
【図７】上記携帯機器の第２の実施の形態の第１の筐体の説明図である。
【図８】上記携帯機器の第２の実施の形態の説明図である。
【図９】上記携帯機器の第２の実施の形態の説明図である。
【図１０】上記携帯機器の第２の実施の形態の操作方法の説明図であり、（ａ）は携帯機器が閉じた状態を示し、（ｂ）は携帯機器の第２の筐体がずれた状態を示す。
【図１１】上記携帯機器の第２の実施の形態の操作方法の説明図であり、（ａ）は携帯機器が閉じた状態を示し、（ｂ）は携帯機器の第２の筐体がずれた状態を示す。
【図１２】本発明が適用された携帯機器の第２の実施の形態の変形例の外観図であり、（ａ）は携帯機器が開いた状態の分解図であり、（ｂ）は携帯機器の第２の筐体がずれた状態を示す。
【図１３】本発明が適用された携帯機器の第２の実施の形態の変形例の外観図であり、（ａ）は携帯機器が閉じた状態を示し、（ｂ）は携帯機器の第２の筐体がずれた状態を示し、（ｃ）は携帯機器が開いた状態を示す。
【図１４】本発明が適用された携帯機器の第３の実施の形態の要部内容物を透視した斜視図である。
【図１５】上記携帯機器の第３の実施の形態の要部内容物を透視した外観図であり、（ａ）は携帯機器が閉じた状態を示し、（ｂ）は携帯機器の第２の筐体がずれた状態を示す。
【図１６】本発明が適用された携帯機器の第４の実施の形態の外観図であり、（ａ）は携帯機器が閉じた状態を示し、（ｂ）は携帯機器の第２の筐体がずれた状態を示し、（ｃ）は携帯機器が開いた状態を示す。
【図１７】上記携帯機器の第４の実施の形態の斜視図である。
【図１８】上記携帯機器の第４の実施の形態の斜視図である。
【図１９】上記携帯機器の第４の実施の形態の斜視図である。
【図２０】本発明が適用された携帯機器の第５の実施の形態の外観図であり、（ａ）は携帯機器が閉じた状態を示し、（ｂ）は携帯機器の第２の筐体がずれた状態を示し、（ｃ）は携帯機器が開いた状態を示す。
【図２１】本発明が適用された携帯機器の第６の実施の形態の外観図であり、（ａ）は携帯機器が閉じた状態を示し、（ｂ）は携帯機器の第２の筐体がずれた状態を示す。
【図２２】本発明が適用された携帯機器の第７の実施の形態の外観図であり、（ａ）は携帯機器が閉じた状態を示し、（ｂ）は携帯機器の第２の筐体がずれた状態を示し、（ｃ）は携帯機器が開いた状態を示し、（ｄ）はＬＣＤを横長にした状態を示し、（ｅ）は左右対称形状にした状態を示す。
【図２３】上記携帯機器の第７の実施の形態の要部内容物を透視した斜視図である。
【図２４】上記携帯機器の第７の実施の形態の断面図である。
【図２５】上記携帯機器の第７の実施の形態の操作方法の説明図であり、（ａ）は携帯機器が閉じた状態を示し、（ｂ）は携帯機器が開いた状態を示し、（ｃ）は携帯機器が開いた状態を示し、（ｄ）はＬＣＤを横長にした状態を示す。
【図２６】本発明が適用された携帯機器の第７の実施の形態の変形例の外観図であり、（ａ）は携帯機器が閉じた状態を示し、（ｂ）は携帯機器の第２の筐体がずれた状態を示し、（ｃ）は携帯機器が開いた状態を示し、（ｄ）はＬＣＤを横長にした状態を示し、（ｅ）は左右対称形状にした状態を示す。
【符号の説明】
【０１７４】
１、２、２’、３、４、５、６、７、８、９…携帯機器、１０…第１の筐体、１２…操作ボタン、１４ａ…垂線、１４ｂ…回動軸、１８…液晶表示部、２０…第２の筐体、２２、２４…ＬＣＤ、２５、２６…溝、３０…ヒンジ、３１…ヒンジ本体、３２…板バネ、３５…ヒンジバネ、３６…Ｌ字金具、３７…リンク
【図１】
2008085865.tif 000003
【図２】
2008085865.tif 000004
【図３】
2008085865.tif 000005
【図４】
2008085865.tif 000006
【図５】
2008085865.tif 000007
【図６】
2008085865.tif 000008
【図７】
2008085865.tif 000009
【図８】
2008085865.tif 000010
【図９】
2008085865.tif 000011
【図１０】
2008085865.tif 000012
【図１１】
2008085865.tif 000013
【図１２】
2008085865.tif 000014
【図１３】
2008085865.tif 000015
【図１４】
2008085865.tif 000016
【図１５】
2008085865.tif 000017
【図１６】
2008085865.tif 000018
【図１７】
2008085865.tif 000019
【図１８】
2008085865.tif 000020
【図１９】
2008085865.tif 000021
【図２０】
2008085865.tif 000022
【図２１】
2008085865.tif 000023
【図２２】
2008085865.tif 000024
【図２３】
2008085865.tif 000025
【図２４】
2008085865.tif 000026
【図２５】
2008085865.tif 000027
【図２６】
2008085865.tif 000028